(57)【要約】【課題】遊技機の外枠が非木製であっても、遊技機を傷つけることなく一纏めに連ならせることができて、効率的に配送することが可能な遊技機を提供する。【解決手段】遊技機としてのパチンコ機１１全体の筐体をなす外枠１２よりも後方側に、外枠１２よりも前方に向かって突設された複数の構成部材としての前面パネル１４、皿ユニット１９、発射ダイヤル４１に合致する合致部３２を上下方向に離間して複数設ける。【選択図】図３
2007229235.tif 000002
【特許請求の範囲】
【請求項１】
筐体をなす外枠を有する遊技機において、
前記外枠よりも後方側に、前記外枠よりも前方に向かって突設された複数の構成部材と合致する複数の合致部が長手方向に離間して設けられていることを特徴とする遊技機。
【請求項２】
筐体をなす外枠を有する遊技機において、
前記外枠よりも前方側に、前記外枠よりも後方に向かって突設された複数の構成部材と合致する複数の合致部が長手方向に離間して設けられていることを特徴とする遊技機。
【請求項３】
筐体をなす外枠を有する遊技機において、
前記外枠よりも後方側に、前記外枠よりも前方に向かって突設された構成部材と合致する第１の合致部が設けられ、前記外枠よりも前方側に、前記外枠よりも後方に向かって突設された第２の構成部材に合致する第２の合致部が設けられていると共に、前記第１及び第２の合致部が長手方向に離間して設けられていることを特徴とする遊技機。
【発明の詳細な説明】
【技術分野】
【０００１】
この発明は、パチンコ機等の遊技機に関し、さらに詳しくは、製品製造工場等から輸送トラックによって配送される遊技機に関する。
【０００２】
従来、パチンコ機等の遊技機は、製品製造工場において組み立てが終了すると、流通業者の輸送トラックによって販社、遊技場等に向けて配送される。
【０００３】
配送時における遊技機は、数量、配送先等に応じて、１個ずつ専用の段ボール箱に納める箱入りタイプ（例えば、特許文献１参照）、或いは、図５に示されるように、複数の遊技機１の天板２を釘打ちした桟（例えば、左右２つの角材）３で連結固定する天板つなぎタイプのうちいずれかのタイプによって配送されていた。
【０００４】
【特許文献１】特開２０００−４３１６０号公報
【発明の開示】
【発明が解決しようとする課題】
【０００５】
しかしながら、段ボール箱を用いて輸送した場合、遊技島と呼ばれる枠台に設置するため段ボール箱から遊技機を取り出してしまうと段ボール箱は不要となるため、その空き箱の処分に困ってしまうという問題があった。
【０００６】
また、遊技機は、環境、資源面を考慮して外枠（天板）が非木製、例えば合成樹脂や金属系に徐々に切り替わっていくことが想定されているが、天板が非木製となると、桟を釘打ち固定する天板つなぎタイプによって配送することはできないという問題が発生する。
【０００７】
そこで、この発明は、上記した従来技術が有している問題点を解決するためになされたものであって、遊技機の外枠が非木製であっても、遊技機を傷つけることなく一纏めに連ならせることができて、効率的に配送することが可能な遊技機を提供することを目的とする。
【０００８】
上記目的を達成するため第１の発明は、筐体をなす外枠を有する遊技機において、
前記外枠よりも後方側に、前記外枠よりも前方に向かって突設された複数の構成部材と合致する複数の合致部が長手方向に離間して設けられていることを特徴とする。
【０００９】
上記目的を達成するため第２の発明は、筐体をなす外枠を有する遊技機において、
前記外枠よりも前方側に、前記外枠よりも後方に向かって突設された複数の構成部材と合致する複数の合致部が長手方向に離間して設けられていることを特徴とする。
【００１０】
上記目的を達成するため第３の発明は、筐体をなす外枠を有する遊技機において、
前記外枠よりも後方側に、前記外枠よりも前方に向かって突設された構成部材と合致する第１の合致部が設けられ、前記外枠よりも前方側に、前記外枠よりも後方に向かって突設された第２の構成部材と合致する第２の合致部が設けられていると共に、前記第１及び第２の合致部が長手方向に離間して設けられていることを特徴とする。
【００１１】
第１乃至第３の発明によれば、遊技機の前面側と後面側とを重ね合わせると、遊技機同士は長手方向に離間した複数の合致部によってしっかりと支持される。これにより、遊技機同士は前後方向に向かって接離可能とされ、上下左右方向にはずれ難くなるので、遊技機同士の前面側及び後面側をがたつくことなく容易に重ね合わせることができるようになる。また、遊技機同士の前面側及び後面側を重ね合わせても前面側及び後面側には傷がつきにくいので、輸送トラックにて配送を行う場合に好適である。さらには、遊技機の着脱は容易であり、しかも、遊技機同士を連結固定するための専用治具は不必要であるため、輸送トラックへの遊技機の積み降ろし時間を短縮化することができる。
【発明の効果】
【００１２】
本発明の遊技機によれば、長手方向に離間した複数の合致部によって、遊技機の前面側と後面側とを容易に重ね合わせることができるようになると共に、遊技機の前面側と後面側とを重ね合わせた際のがたつきが防止されて遊技機の前面側及び後面側に傷をつけないようにすることができる。その結果、遊技機の外枠が非木製であっても、遊技機を傷つけることなく一纏めに連ならせることができて、効率的に配送することが可能な遊技機を提供することができる。
【発明を実施するための最良の形態】
【００１３】
以下、本発明の実施形態の遊技機としてのパチンコ機について図面を用いて説明する。図１は、パチンコ機の正面図、図２は、図１の背面図である。
【００１４】
まず、遊技機としてのパチンコ機の概略構成について説明する。
図１に示されるように、遊技機としてのパチンコ機１１は、パチンコ機全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１５】
遊技盤１６の前面には、液晶からなる特別図柄表示画面２２を有するエスカッション２０、複数の入賞口１５、特別入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１６】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００１７】
主制御基板２７は、パチンコ機全体を制御するため、パチンコ機１１の動作全体を管理するシステムプログラム及び遊技用の実行プログラムが予め記憶された半導体メモリ等からなる記憶部、これらのプログラムを実行するマイクロプロセッサ（ＭＰＵ）を備えている。
【００１８】
次に、本発明の実施形態に係るパチンコ機について図３，４を用いて説明する。図３は、本発明の実施形態に係るパチンコ機を示した側面図、図４は、同例におけるパチンコ機を複数連ならせた状態を示した側面図である。
【００１９】
まず、パチンコ機１１の外枠１２について説明する。
図３に示されるように、外枠１２は、上下左右に方形枠状となるように連結されたいずれも非木製（例えば合成樹脂や金属系）の上側枠としての天板１２ａ、下側枠１２ｂ、左側枠１２ｃ、右側枠（図示せず）とを備えている。天板１２ａ及び下側枠１２ｂには、外枠１２を遊技島に取り付け固定するための取付孔（図示せず）が穿設されている。
【００２０】
この外枠１２よりも後面側には、外枠１２よりも前方に向かって突設された複数の構成部材、すなわち、前面パネル１４、皿ユニット１９、発射ハンドル４１の突出形状と合致するように個別に突出成形或いは凹み成形された合致部３２が外枠１２の長手方向、つまり上下方向に離間して複数設けられている。すなわち、外枠１２の後面側の上方に位置する賞球タンク２３の後面部に設けれられた合致部３２は、前面パネル１４の前面側と合致するようになっていると共に、電源ユニット２８及び払い出し制御基板２９の後面部を凹み形成することによって設けられた合致部３２は、皿ユニット１９及び発射ハンドル４１の前面側と合致するようになっている。
【００２１】
そして、これら合致部３２は、パチンコ機１１の前面側と後面側とを重ね合わせた状態にあっては、パチンコ機１１同士が傾いたり、がたつかないように、その上下部をしっかりと２点支持して姿勢の安定化を図ると共に、パチンコ機１１同士を前後方向に向かって接離可能とする一方で、上下左右方向に対するずれを防止するようになっている。
【００２２】
このような合致部３２にあっては、係合片（係合爪）と係合孔との係合によるもの、互いに引き合う磁性体によるもの、凹部と凸部との嵌め合いによるもの、容易に剥がせる粘着度の低い粘着テープによるもの等が考えられるが、これらに限定されるものではない。
【００２３】
次に、本実施形態に係るパチンコ機１１を着脱する手順について図３，４を用いて説明する。
【００２４】
まず、図３に示されるように、前面側と後面側とが互いに向き合うように複数のパチンコ機１１を列設させる。そして、前方側のパチンコ機１１の合致部３２と、後方側のパチンコ機１１の前面パネル１４、皿ユニット１９、発射ハンドル４１とを合致させるようにパチンコ機１１を適宜移動する。すると、図４に示されるように、合致部３２とパチンコ機１１の前面パネル１４、皿ユニット１９、発射ハンドル４１とが合致して、パチンコ機１１同士の上下部がしっかりと２点支持された状態でパチンコ機１１の前面側と後面側とが重なり合う。
【００２５】
この状態にあっては、パチンコ機１１同士は、前後方向に向かって接離可能とされる一方で、上下左右方向に対するずれが防止されており、パチンコ機１１同士が傾いたり、がたつかないようになっている。
【００２６】
そして、このような作業をその他のパチンコ機１１についても順次繰り返していくことによって、パチンコ機１１の外枠１２が合成樹脂や金属系の非木製であっても、複数のパチンコ機１１を効率よくひとまとめに重なり合わせることができるようになる。また、パチンコ機１１の前面側及び後面側を重なり合わせるものの、工場出荷されるパチンコ機１１にはビニールカバーが被せられるため、前面側及び後面側は直接接触することが防止されている。さらには、輸送トラックにて配送を行う場合には、ひとまとめに重なり合わせた状態のパチンコ機１１を荷物固定用のロープやワイヤで一括りに縛るので、輸送トラックにて配送を行う場合でもパチンコ機１１が前後方向にがたつくことはなく、パチンコ機１１の前面側及び後面側に傷がつくようになっている。
【００２７】
一方、配送先にてパチンコ機１１を取り外す場合には、ロープやワイヤを緩めることによって、列の後尾からパチンコ機１１が順次取り外せる。このように、パチンコ機１１の着脱は容易であるため、輸送トラックにて配送する際のパチンコ機１１の積み降ろし時間を短縮化することができるようになる。
【００２８】
なお、本発明の実施形態にあっては、合致部３２をパチンコ機１１の外枠１２よりも後方側に設けたが、これに限定されるものではなく、合致部３２をパチンコ機１１の外枠１２よりも前方側に設けることが可能である。さらには、合致部３２のうち少なくとも何れか１つをパチンコ機１１の外枠１２よりも後方側に設けると共に、合致部３２のうち少なくとも何れか１つをパチンコ機１１の外枠１２よりも前方側に設けることが可能である。
【００２９】
以上説明したように本発明によれば、パチンコ機１１の前面側と後面側とを重ね合わせると、パチンコ機１１同士は上下方向に離間した複数の合致部３２によってしっかりと支持される。これにより、パチンコ機１１同士は前後方向に向かって接離可能とされ、上下左右方向にはずれ難くなるので、パチンコ機１１同士の前面側及び後面側をがたつくことなく容易に重ね合わせることができるようになる。また、パチンコ機１１同士の前面側及び後面側を重ね合わせても前面側及び後面側には傷がつきにくいので、輸送トラックにて配送を行う場合に好適である。さらには、パチンコ機１１の着脱は容易であり、しかも、パチンコ機１１同士を連結固定するための専用治具は不必要であるため、輸送トラックへのパチンコ機１１の積み降ろし時間を短縮化することができる。
【図面の簡単な説明】
【００３０】
【図１】パチンコ機の正面図である。
【図２】図１の背面図である。
【図３】本発明の実施形態に係るパチンコ機を示した側面図である。
【図４】同例におけるパチンコ機を複数連ならせた状態を示した側面図である。
【図５】従来の遊技機の一配送例を示した側面図である。
【符号の説明】
【００３１】
１１    パチンコ機（遊技機）
１２    外枠
１４    前面パネル（構成部材）
１９    皿ユニット（構成部材）
２７    主制御基板（構成部材）
２８    電源ユニット（構成部材）
２９    払い出し制御基板（構成部材）
３２    合致部
４１    発射ハンドル（構成部材）
【図１】
2007229235.tif 000003
【図２】
2007229235.tif 000004
【図３】
2007229235.tif 000005
【図４】
2007229235.tif 000006
【図５】
2007229235.tif 000007